(57)【要約】【課題】屋根裏の空気を、淀みを発生させることなく容易に自然換気させることができ、温度上昇による熱気の排出、室内外の温度差や気圧差等を要因とする結露の発生の防止等を確実に行うと同時に、屋根全体の強度も維持できる、屋根裏の換気工法とその換気機構を提供する。【解決手段】  本発明に係る屋根裏の換気工法は、台形部分が繰り返されて成る既設の折板屋根の台形上面部に沿って複数の開口部を形成する工程と、左右両側面にルーバーを備えた断面略台形状の換気カバーを、前記開口部を覆うように被冠して固定する工程と、開口部と換気カバーとの間に、耐火シートを介装する工程と、から成る。また、本発明に係る屋根裏の換気機構は、台形部分が繰り返されて成る既設の折板屋根の台形上面部に沿って形成された開口部と、該開口部を覆うように台形上面部に被冠して固定される、左右両側面にルーバーを備えた断面略台形状の換気カバーと、から成る。【選択図】図１
2010037854.tif 000002
【特許請求の範囲】
【請求項１】
既設の屋根に開口部を形成する工程と、ルーバーを備えた換気カバーを、前記開口部を覆うように取り付ける工程と、から成ることを特徴とする屋根裏の換気工法。
【請求項２】
開口部と換気カバーとの間に、耐火シートを介装する工程を含む請求項１に記載の屋根裏の換気工法。
【請求項３】
台形部分が繰り返されて成る既設の折板屋根の台形上面部に沿って複数の開口部を形成する工程と、左右両側面にルーバーを備えた断面略台形状の換気カバーを、前記開口部を覆うように被冠して固定する工程と、開口部と換気カバーとの間に、耐火シートを介装する工程と、から成ることを特徴とする屋根裏の換気工法。
【請求項４】
台形部分が繰り返されて成る既設の折板屋根の台形上面部に沿って形成された開口部と、該開口部を覆うように台形上面部に被冠して固定される、左右両側面にルーバーを備えた断面略台形状の換気カバーと、から成ることを特徴とする屋根裏の換気機構。
【請求項５】
ルーバーは、換気カバーの側面に形成された開口部の上縁部から下方に向けて突設されて成る請求項４に記載の屋根裏の換気機構。
【請求項６】
開口部と換気カバーとの間に、介装した耐火シートを含む請求項４または５に記載の屋根裏の換気機構。
【請求項７】
換気カバーは、下部開口側に対向形成されている固定用脚部が、固定手段を介して折板屋根自体に固定されている請求項４乃至６のいずれかに記載の屋根裏の換気機構。
【発明の詳細な説明】
【技術分野】
【０００１】
本発明は、例えば、折板屋根等による平屋根・三角屋根等を備えた一般家屋や倉庫等の建築物における屋根裏の換気を、容易に行うことのできる屋根裏の換気工法とその換気機構に関するものである。
【背景技術】
【０００２】
結露によるカビ・シミ等の原因となる多湿な空気が屋根裏にこもらないようにするための屋根裏の換気機構としては、例えば、図５（ａ）乃至図５（ｄ）に示すように、自然換気棟を利用した方式が採られている。
【０００３】
具体的には、図５（ａ）・（ｂ）に示すものは妻換気方式と呼ばれ、平屋根１００を備えた一般家屋や倉庫等の建築物における屋根裏の換気に採用されている。このとき、図５（ａ）に示すように、横向きの風によって、屋根裏の空気の流れは、略緩やかな波状に流れる。
【０００４】
また、図５（ｂ）に示すように、下から上に向かう風が発生するとことによって、屋根裏の空気の流れは、中央が流速無しの高気圧状態となり、左右両側が互いに対称的な略還流状となって流れる。
【０００５】
さらに、図５（ｃ）・（ｄ）に示すものは軒換気方式と呼ばれ、三角屋根２００を備えた一般家屋や倉庫等の建築物における屋根裏の換気に採用されている。このとき、三角屋根２００の両サイドにある屋根裏に通じる通気孔２０１から横向きの風、若しくは、下から上に向かう風が流入することによって、三角屋根２００の頂点部分が流速無しの高気圧状態となり、風は左右方向に沿って平行流状となって流れる。
【０００６】
この他、図６に示すように、断面略台形状の枠板材３００が波型に連なって成る折板屋根構造による平屋根の場合には、枠板材３００の台形部分の一部を開口させ、その開口部分にモータファンユニット３０１を備えた電動式換気方式による機構が採用されている。
【０００７】
このモータファンユニット３０１は、枠板材３００に形成された開口に矩形筒体状のボディベース３０２が取り付けられ、該ボディベース３０２内には、底部にガードネット３０３が敷設されている。
【０００８】
また、ガードネット３０３の上にファン付きモータ３０４が内装され、さらにボディベース３０２の上部開口側には左右一対となった下向通気孔３０５を介してカバー３０６が被冠されている。
【０００９】
そして、屋根裏の空気は、ファン付きモータ３０４のファンの回転によって、ガードネット３０３を介してボディベース３０２内に吸引されてから、カバー３０６とボディベース３０２との間の下向通気孔３０５から外部に排出される。
【特許文献１】特になし
【発明の開示】
【発明が解決しようとする課題】
【００１０】
しかしながら、上記した妻換気方式・軒換気方式による自然換気棟の場合、図５（ａ）乃至図５（ｄ）に示すように、横方向からの風や、下方からの風が発生した際に、図中の黒点で示した場所に流速の無い高気圧状態となった淀みが発生してしまうことから、充分な換気が行われていない。
【００１１】
また、図６に示すモータファンユニットを使った電動式換気方式による機構の場合、該モータファンユニットが取り付けられている部分に屋根裏の空気が集中して強制的に外部に排出されることから、モータファンユニットの存在しない両サイドにける波型の枠板材下面側には、逆三角形状の空気の淀みが発生してしまうことから、これについても充分な換気が行われていない。
【００１２】
そこで、本発明は如上のような従来存した諸事情に鑑み創出されたもので、屋根裏の空気を、淀みを発生させることなく容易に自然換気させることができ、温度上昇による熱気の排出、室内外の温度差や気圧差等を要因とする結露の発生の防止等を確実に行うと同時に、屋根全体の強度も維持できる、屋根裏の換気工法とその換気機構を提供することを目的とする。
【課題を解決するための手段】
【００１３】
本発明に係る屋根裏の換気工法は、既設の屋根に開口部を形成する工程と、ルーバーを備えた換気カバーを、前記開口部を覆うように取り付ける工程と、から成ることで、上述した課題を解決した。
【００１４】
また、開口部と換気カバーとの間に、耐火シートを介装する工程を含むことで、同じく上述した課題を解決した。
【００１５】
さらに、台形部分が繰り返されて成る既設の折板屋根の台形上面部に沿って複数の開口部を形成する工程と、左右両側面にルーバーを備えた断面略台形状の換気カバーを、前記開口部を覆うように被冠して固定する工程と、開口部と換気カバーとの間に、耐火シートを介装する工程と、から成ることで、同じく上述した課題を解決した。
【００１６】
また、本発明に係る屋根裏の換気機構は、台形部分が繰り返されて成る既設の折板屋根の台形上面部に沿って形成された開口部と、該開口部を覆うように台形上面部に被冠して固定される、左右両側面にルーバーを備えた断面略台形状の換気カバーと、から成ることで、同じく上述した課題を解決した。
【００１７】
加えて、ルーバーは、換気カバーの側面に形成された開口部の上縁部から下方に向けて突設されて成ることで、同じく上述した課題を解決した。
【００１８】
また、開口部と換気カバーとの間に、介装した耐火シートを含むことで、同じく上述した課題を解決した。
【００１９】
さらに、換気カバーは、下部開口側に対向形成されている固定用脚部が、固定手段を介して折板屋根自体に固定されていることで、同じく上述した課題を解決した。
【発明の効果】
【００２０】
本発明によれば、屋根裏の空気を、淀みを発生させることなく容易に自然換気させることができ、温度上昇による熱気の排出、室内外の温度差や気圧差等を要因とする結露の発生の防止等を確実に行うと同時に、屋根全体の強度も維持することができる。
【００２１】
すなわち、本発明に係る屋根裏の換気工法は、既設の屋根に開口部を形成する工程と、ルーバーを備えた換気カバーを、前記開口部を覆うように取り付ける工程と、から成ることから、屋根裏の空気を、淀みを発生させることなく容易に自然換気させることができる。
【００２２】
また、開口部と換気カバーとの間に、耐火シートを介装する工程を含むので、火災の際に屋根裏の温度が、例えば、２００℃以上に達すると、この耐火シートが熱膨張し、開口部を塞ぐこととなって外気の流入を遮断させることから、火災の拡大を未然に食い止めることができる。
【００２３】
さらに、台形部分が繰り返されて成る折板屋根の台形上面部に沿って複数の開口部を形成する工程と、左右両側面にルーバーを備えた断面略台形状の換気カバーを、前記開口部を覆うように被冠して固定する工程と、開口部と換気カバーとの間に、耐火シートを介装する工程と、から成るので、屋根裏の空気を、淀みを発生させることなく確実に自然換気させることができる。
【００２４】
しかも、耐火シートの介装により、火災の際に屋根裏の温度が、例えば、２００℃以上に達すると、この耐火シートが熱膨張し、開口部を塞ぐこととなって外気の流入を遮断させることから、火災の拡大を未然に食い止めることができる。
【００２５】
一方、本発明に係る屋根裏の換気機構は、台形部分が繰り返されて成る既設の折板屋根の台形上面部に沿って形成された開口部と、該開口部を覆うように台形上面部に被冠して固定される、左右両側面にルーバーを備えた断面略台形状の換気カバーと、から成るので、屋根裏の空気を、淀みを発生させることなく容易に自然換気させることができ、温度上昇による熱気の排出、室内外の温度差や気圧差等を要因とする結露の発生の防止等を確実に行うことができる。
【００２６】
また、屋根全体の強度も維持することができる。しかも、折板屋根の台形上面部に沿って形成された開口部を介して換気カバーが取り付けられることから、屋根裏の換気機構自体を容易且つ安価に作製することができる。
【００２７】
さらに、ルーバーは、換気カバーの側面に形成された開口部の上縁部から下方に向けて突設されて成るので、換気カバー内部への横風による異物や塵埃等の浸入や、雨水の浸入等を未然に防ぐことができる。
【００２８】
また、開口部と換気カバーとの間に、介装した耐火シートを含むので、火災の際に屋根裏の温度が、例えば、２００℃以上に達すると、この耐火シートが熱膨張し、開口部を塞ぐこととなって外気の流入を遮断させることから、火災の拡大を未然に食い止めることができる。
【００２９】
加えて、換気カバーは、下部開口側に対向形成されている固定用脚部が、固定手段を介して折板屋根自体に固定されているので、折板屋根に開口部が形成されていても、屋根全体の強度を常に維持することができる。
【発明を実施するための最良の形態】
【００３０】
以下に、本発明を実施するための最良の形態を、図面を参照して説明する。
【００３１】
尚、以下の説明では、折板構造の平屋根を一例として記載しているが、これに限らず、三角屋根による一般家屋や倉庫等の建築物における屋根裏の換気用として、本発明に係る屋根裏の換気工法とその換気機構を採用して良いことは勿論である。
【００３２】
本発明に係る屋根裏の換気機構は、図１に示すように、複数のルーバー４が左右両側面に形成され、且つ下部開口側の両側には内側に向けて略Ｖ字状に折り返されて成る固定用脚部２を備えた断面略台形状の長尺な換気カバー１を備えている。
【００３３】
そして、台形部分が繰り返されて成る既設の折板屋根Ｗの台形上面部に開口部３を形成し、この開口部３を覆うように換気カバー１が台形上面部に被冠されるのである。
【００３４】
折板屋根Ｗは、図２に示すように、吊子材Ｔの下端折曲部をボルト・ナットで締結固定するための段部Ｒを形成したタイトフレームＦを備え、この吊子材Ｔの上端折曲部を介して当該折板屋根Ｗが吊設されている。
【００３５】
このとき、タイトフレームＦには、折板屋根Ｗの開口部３に対応した通気孔Ｆ１が形成されている。また、図２に示すように、この折板屋根Ｗ自体が十分な強度を保つために、当該折板屋根Ｗの両サイドの肩部には、当該折板屋根Ｗに合わせた大きさのアングル材による補強用の肩当部材１０が付設されている。さらに、折板屋根Ｗの端部には、止面戸７、化粧フレーム８、水切面戸９等が固定されている。
【００３６】
そして、換気カバー１は、折板屋根Ｗに合わせた大きさに形成されており、台形部分が繰り返されて成る既設の折板屋根Ｗの台形上面部に沿って等間隔に形成された、例えば、横幅約１ｃｍ〜５０ｃｍ、長さ約５０ｃｍ〜１００ｃｍ程度の長方形状となった複数の開口部３を、上側から所定の間隔を有して覆うように台形上面部に被冠してから、その両端の固定用脚部２を、例えば、リベット止めや接着剤等の固定手段５によって、当該折板屋根Ｗの台形両側面に固定されるものである。
【００３７】
このとき、図４に示すように、換気カバー１は、折板屋根Ｗの上端側に、例えば、３本、下端側に１本程度の割合でそれぞれが並置されていると、折板屋根Ｗが換気カバー１によって密閉された状態になっても空気の流れが良好となり、換気能力が十分に発揮されるものとなる。
【００３８】
尚、開口部３の形状は長方形に限らず、例えは、正方形・円形・長円形等の何れであっても良い。また、開口部３の開口面積は、換気効率と設置の条件とを考慮して、例えば、折板屋根Ｗの全面積の約１６００分の１以上としている。
【００３９】
換気カバー１の固定用脚部２は、換気カバー１の下部開口側で互いに内側に向けて略Ｖ字状に折り返されている。その為、図２・図３に示すように、換気カバー１自体は、折板屋根Ｗに対して若干浮き上がった状態となって配置され、これにより、折板屋根Ｗと換気カバー１との間に空間部が形成されている。
【００４０】
また、折板屋根Ｗに複数の開口部３を形成することにより、当該折板屋根Ｗ自体の強度が低下することが予想されるが、換気カバー１の固定用脚部２を、例えば、リベット止めや接着剤等の種々の固定手段５によって折板屋根Ｗ自体に固定していることから、当該折板屋根Ｗの強度を充分に保てるようにしている。
【００４１】
また、図２に示すように、ルーバー４は、換気カバー１の側面に複数段となって形成された横長矩形状の換気用の開口部４ａの上縁部から斜め下方に向けて突設されている。
【００４２】
さらに、図２に示すように、折板屋根Ｗの開口部３と換気カバー１との間である、例えば、換気カバー１の台形上面部の下面側に、耐火シート６が付設される。この耐火シート６は、例えば、２００℃以上に加熱されると約３０倍に膨張して断熱層を形成することで、火炎の通り道となる通気部分であるタイトフレームＦの通気孔Ｆ１、折板屋根Ｗの開口部３、換気カバー１のルーバー４における換気用の開口部４ａのそれぞれを遮断するもので、通常の温度では換気口として空間を保つものである。
【００４３】
次に、以上のように構成された本発明の最良の形態について、組立、使用、動作の一例を説明する。
【００４４】
基本的に、図２に示すように、既設の折板屋根Ｗが、タイトフレームＦの吊子材Ｔの上端折曲部を介して吊設されている。この折板屋根Ｗの端部には、止面戸７、化粧フレーム８、水切面戸９が固定されている。また、折板屋根Ｗの肩部箇所には、当該折板屋根Ｗに合わせた大きさの補強用の肩当部材１０が付設されている。
【００４５】
換気カバー１の設置に際しては、折板屋根Ｗの台形上面部に複数の開口部３が形成され、タイトフレームＦには折板屋根Ｗの開口部３に対応して通気孔Ｆ１が貫設される。
【００４６】
次に、図１に示すように、換気カバー１を、折板屋根Ｗの複数の開口部３を上側から所定の間隔を有して覆うように台形上面部に被冠させ、その両端の固定用脚部２を、例えば、リベット止めや接着剤等の固定手段５によって当該折板屋根Ｗの台形両側面に固定する。
【００４７】
このとき、図２に示すように、換気カバー１自体は、折板屋根Ｗに対して若干浮き上がった状態となって配置固定される。また、換気カバー１の台形上面部の下面側には、耐火シート６が予め付設されている。
【００４８】
そして、図３に示すように、屋根裏の湿った空気は、タイトフレームＦの通気孔Ｆ１、折板屋根Ｗの開口部３、換気カバー１のルーバー４における換気用の開口部４ａのそれぞれを通って外部に排出される。尚、図３では、タイトフレームＦの通気孔Ｆ１、肩当部材１０が便宜上省略されている。
【００４９】
また、火災時において、耐火シート６が、例えば、２００℃以上に加熱されるとこれが約３０倍に膨張して断熱層が形成され、火炎の通り道となる通気部分であるタイトフレームＦの通気孔Ｆ１、折板屋根Ｗの開口部３、換気カバー１のルーバー４における換気用の開口部４ａのそれぞれを遮断する。
【産業上の利用可能性】
【００５０】
本発明に係る屋根裏の換気工法とその換気機構は、折板屋根による平屋根・三角屋根等を備えた一般家屋や倉庫等の建築物における屋根裏の換気システムとして使用する他に、上記以外の種々の屋根構造を備えた建築構造物等の換気工法とその換気機構として、幅広く応用することができる。
【図面の簡単な説明】
【００５１】
【図１】屋根裏の換気機構の一例を示す組付状態の斜視図である。
【図２】屋根裏の換気機構を組付けた状態の縦断面図である。
【図３】屋根裏の自然換気による空気の流れを説明する断面図である。
【図４】屋根裏の換気機構の配置の一例を示す組付状態の斜視図である。
【図５】従来における屋根裏の自然換気による空気の流れを説明するもので（ａ）・（ｂ）は妻換気方式の説明図、（ｃ）・（ｄ）は軒換気方式の説明図である。
【図６】従来における電動式換気方式による屋根裏換気機構の断面図である。
【符号の説明】
【００５２】
Ｗ…折板屋根
Ｔ…吊子材
Ｒ…段部
Ｆ…タイトフレーム
Ｆ１…通気孔
１…換気カバー
２…固定用脚部
３…開口部
４…ルーバー
４ａ…換気用の開口部
５…固定手段
６…耐火シート
７…止面戸
８…化粧フレーム
９…水切面戸
１０…肩当部材
１００…平屋根
２００…三角屋根
２０１…通気孔
３００…枠板材
３０１…モータファンユニット
３０２…ボディベース
３０３…ガードネット
３０４…ファン付きモータ
３０５…下向通気孔
３０６…カバー
【図１】
2010037854.tif 000003
【図２】
2010037854.tif 000004
【図３】
2010037854.tif 000005
【図４】
2010037854.tif 000006
【図５】
2010037854.tif 000007
【図６】
2010037854.tif 000008